【事件の表示】
　平成１１年特許願第　８６９０２号「パチンコ機」拒絶査定不服審判事件〔平成１１年１１月１６日出願公開、特開平１１−３１３９７０〕について、次のとおり審決する。
【結　論】
　本件審判の請求は、成り立たない。
【理　由】
１． 手続きの経緯、本願発明
　本願は、平成４年３月３０日に特許出願した特願平４−１０５６５３号の一部を、特許法第４４条第１項の規定により、平成１１年３月２９日に新たな特許出願としたものであって、その請求項１及び２に係る発明は、当審で提出された平成１６年７月１２日付けの手続補正書により全文補正された明細書及び図面の記載からみて、その特許請求の範囲の請求項１及び２に記載されたとおりのものと認められるところ、請求項１に係る発明（以下、「本願発明」という。）は、以下のとおりである。
　
【請求項１】　遊技機本体の裏面側に、遊技店内の管理装置等に接続され、遊技情報を出力可能な外部接続端子を備えたパチンコ機において、
　遊技盤の裏側に、第１の外部接続端子を複数備えた第１の外部接続端子板を設け、前記遊技盤を収容する枠部に、第２の外部接続端子を複数備えた第２の外部接続端子板を設け、前記複数の第１の外部接続端子のうち一部を、前記複数の第２の外部接続端子のうち一部と相互に接続して、前記複数の第１の外部接続端子のうち、前記第２の外部接続端子と相互に接続されていない端子は遊技店内の管理装置等に直接接続されて遊技盤側の遊技情報を出力可能とし、前記複数の第２の外部接続端子のうち、前記第１の外部接続端子と相互に接続されていない端子は同様に遊技店内の管理装置等に直接接続されて枠側の遊技情報を出力可能とされ、前記第１の外部接続端子のうち、前記第２の外部接続端子と相互に接続された第１の外部接続端子は前記第２の外部接続端子を経由して前記管理装置等に接続され、前記第２の外部接続端子板に備えられた複数の第２の外部接続端子からは遊技盤側の遊技情報と枠側の遊技情報とがそれぞれ出力可能な構成としたパチンコ機。
　
２． 当審の拒絶理由
　一方、当審において平成１６年５月１０日付けで通知した拒絶の理由の概要は、本願発明は、本願の出願前に頒布された刊行物である下記の引用例１乃至３に記載された発明に基づいて当業者が容易に発明をすることができたものであるから、特許法第２９条第２項の規定により特許を受けることができない、というものである。
　
　引用例１：特開昭６３−１６８１９４号公報
　引用例２：特開平４−４０９７４号公報
　引用例３：特開昭６４−５５８０号公報
　
３．引用例に記載された発明
（１） 引用例１［特開昭６３−１６８１９４号公報］
　引用例１には、パチンコ機の入出力装置に関し、図面とともに、次の事項が記載されている。
(1-1)「パチンコ機には少くとも入賞球があったことを検出する入賞球検出器と、賞球排出装置の上タンク内の予備球の残量を検出する完了検出器と、特別遊技態様が発生したことを検出する特別遊技態様検出部とを設け、パチンコ機裏側上部一側には、上記各検出手段からの信号をパチンコ機外部へ出力するための接続端子が集約的に設けられてなる入出力装置を設け、上記入賞球検出器、完了検出器、特別遊技態様検出部からの信号線の一端を上記入出力装置へ集合させて接続したことを特徴とするパチンコ機の入出力装置。」（第１頁左欄第５−１５行）
(1-2)「この発明は、遊技機の信号の入出力装置に関し、例えばパチンコ遊技店において各遊技機と集中管理室のコンピュータとの間で信号を送受信可能なシステムを構成する場合に利用して効果的な技術に関する。」（第１頁右欄第４−８行）
(1-3)「パチンコ機における特別遊技態様（「大当り」と呼ばれる遊技状態）……」（第２頁左上欄第８−９行）
(1-4)「パチンコ機側には、フレーム、金枠等の静電気を検出するための静電気検出器、金枠の開閉を検出するための金枠検出器、入賞口付近に磁石等を近づけられたことを検出するマグネット検出器、賞球排出装置の上タンクの状態を検出する完了検出器、遊技状態が特別遊技態様になっていることを検出する特別遊技態様検出部、入賞球があったことを検出する入賞球検出器を設け、パチンコ機裏側の上部一側に、上記検出器の信号の出力端子（コネクタ）を集約的に有する入出力装置を設けて、パチンコ機に備えられている検出部からの信号線をこれに入力させ、入出力装置の出力端子から一括して管理装置等に入力できるようにしたものである。」（第２頁左下欄第３−１６行）
(1-5)「その実施例の入出力装置10は、基板11と、この基板11上に固定された４個の受側コネクタ12,13,14,15と、電源用フィーダコンセント16と、ブレーカ間とからなり、基板11によってパチンコ機１の裏面、右上隅に固定されている。」（第２頁右下欄第９−１４行）
(1-6)「上記受側コネクタ12〜15のうち、コネクタ12は入賞球検出信号の出力用、コネクタ13は完了検出信号の出力用、また、コネクタ14は特別遊技態様検出信号の出力用の接続端子とされる。
  さらに、コネクタ15は、打球発射モータ制御信号の入力用の接続端子とされる。
  上記コネクタ12,13には、パチンコ機裏面の第１図に示すような位置にそれぞれ配設されている入賞球検出器SW1,完了検出器SW2から引き出された信号線L1,L2の他端が接続されている。完了検出器SW2は賞球排出装置の上タンクが空になったことを検出するマイクロスイッチである。
  また、上記コネクタ14には、特別遊技態様発生時に遊技制御基盤２から出力される特別遊技態様検出信号を伝える信号線L3の一端が接続されている。なお、この信号線は中継基盤３を介して入出力装置10へ接続されるようになっている。
  さらに、コネクタ15には、打球発射モータ４から金枠スイッチSW3や操作ダイヤルスイッチSW4等を介して引き出された給電線L4の一端が接続されている。上記金枠スイッチSW3は、遊技盤の前面を覆うガラス板を保持する金枠の開閉状態を検出する検出器であって、金枠が閉じているとオンされる。」（第２頁右下欄第２０行−第３頁右上欄第４行）
(1-7)「第３図の回路からも明らかなように、打球発射系および賞球排出系と、遊技盤における遊技の制御系（破線Ａで示す）とが電気的に完全に分離されているため、パチンコ機の交換に際して遊技盤のみを取り換え、他の部分は元の機械をそのまま使うということが可能となる。」（第４頁左下欄第２０行−右下欄第５行）
(1-8)「また、各パチンコ機1ごとにその上方に、トラブルが生じた際に係員を呼び寄せるためのフリッカランプ210が設けられ、さらに、各島設備ごとにその中のいずれかのパチンコ機においてトラブル等が生じた場合に上記フリッカランプ210と連動して点灯もしくは点滅される警報ランプ220が、島設備200の両端上部にそれぞれ設けられている。
　この実施例では、各パチンコ機1の上方の上記フリッカランプ210に隣接して前記特別遊技態様の発生回数等を表示可能な大当り回数表示装置230を設けてある。
　そして、各パチンコ機1の制御回路は、前記入出力装置10を介して上記フリッカランプ210や警報ランプ220、大当り回数表示装置230に接続されている。また、島設備200の上部には、各パチンコ機に共通の信号線群（以下、バスと称する）が配設され、このバスを介して各パチンコ機1は集中管理室の管理装置240に接続される。なお、管理装置と各パチンコ機との間の信号の入出力を可能にするため、インタフェース装置250が各パチンコ機ごとに設けられている。
　第１図の実施例のパチンコ機には、その裏面上部に上記フリッカランプ210や大当り回数表示装置230およびインタフェース装置250との間の信号線や給電線の接続を行うためのコネクタ12〜15等が集約的に設けられているため、それらの接続作業が極めて簡単に行なえるようになり、パチンコ機の設置の際のパチンコ機の負担が軽減される。また、パチンコ機背部の配線もすっきりするため、修理、点検作業も容易となる。」（第５頁右上欄第２０行−右下欄第１０行）
(1-9)「バス260とパチンコ機側の検出器SW1,SW2,SW3,SW9および補給用ソレノイドSOLとの間に、前記インタフェース装置250が接続され、パチンコ機１と管理装置240との間で信号の入出力が可能とされている。」（第６頁左上欄第１７行−右上欄第１行）
(1-10)「入出力装置の出力端子から一括して管理装置等に入力できるようにしたので、…………パチンコ店における検出器の取付けやそれらの検出器からの出力信号線の配設等、面倒な作業を一切不要にし、かつパチンコ機の裏側の配線をすっきりさせ、修理点検を容易に行えるとともに、パチンコ機が改造されたと誤認されるおそれがなくなるという効果がある。」（第１１頁左下欄第２−１３行）
(1-11)　第１図あるいは第４図の記載からみて、入出力装置１０は、パチンコ機１の裏面側の右上隅に、中継基盤3は、入出力装置10よりもパチンコ機１の裏面側の中央寄りにそれぞれ設けられているものと認められる。
　以上の記載によれば、引用例１には、
「パチンコ機本体の裏面側に、集中管理室の管理装置２４０等に接続され、入賞球検出信号、完了検出信号及び特別遊技状態検出信号を出力するためのコネクタ１２〜１４（出力端子）を備えたパチンコ機において、
　パチンコ機の裏面側の中央寄りに、遊技制御基盤２から出力される特別遊技態様検出信号を入出力装置１０へ出力するための中継基盤３を設け、パチンコ機の裏面の右上隅に、前記各信号を外部に出力するための複数のコネクタ１２〜１４を有する入出力装置１０を設け、前記中継基盤３の端子を、前記複数のコネクタ１２〜１４のうちコネクタ１４と相互に接続して、前記複数のコネクタ１２〜１４のうち、前記中継基盤３の端子と相互に接続されていないコネクタ１３は集中管理室の管理装置２４０等に接続され、完了検出信号を出力可能とし、前記中継基盤３の端子は入出力装置１０のコネクタ１４を経由してフリッカランプ２１０、警報ランプ２２０及び大当り回数表示装置２３０に接続され、前記入出力装置１０に備えられたコネクタ１２〜１４からは完了検出信号及び特別遊技状態検出信号が出力可能な構成としたパチンコ機」
　との発明（以下「引用発明」という）が開示されているものと認められる。
（２） 引用例２［特開平４−４０９７４号公報］
　引用例２には、パチンコ遊技機の入賞装置に関し、図面とともに、次の事項が記載されている。
「パチンコ遊技機の裏側には、第６図に示すように、中央付近に裏セット板50を介して遊技盤36が設けられると共に、遊技盤36の後部には基板ボックス51が設けられ、遊技盤36の両側には球寄せ部52,52がそれぞれ形成され、一方の球寄せ部52には外部接続端子53が設けられ、他方の球寄せ部52には磁石による不正行為を検出する磁石検出スイッチSW6が設けられ、磁石検出スイッチSW6は遊技者が遊技盤36に対して磁石を不正に使用するとONとなる。
  裏セット板50の上方には賞球タンク54が設けられ、賞球タンク54の側部には賞品球の払出しを検出する賞品球払出検出スイッチSW7が設けられ、賞品球払出検出スイッチSW7の後部には外部接続端子55,55がそれぞれ設けられている。」（第３頁右下欄第２−１７行）
（３） 引用例３［特開昭６４−５５８０号公報］
　引用例３には、図面とともに、次の事項が記載されている。
(3-1)「第４図は本発明の第２実施例を示すものであり、パチンコ遊技機１の裏面には賞球タンク20の側部に第１端子板40が設けられ、タンクレール21の下部には第２端子板41が設けられ、……」（第７頁左上欄第６−９行）
(3-2)「賞品球の払出し時には第１端子板40のコネクタI5より入賞球払出しの表示信号が出て、賞品球払出表示灯L13が点灯し、タンクレール21の賞品球が不足すると、第１端子板40に設けた賞品球切れ検出スイッチSW15がONとなり、第１端子板40のコネクタI5より賞品球切れ表示信号が出て、補給信号の出力が行なわれ、賞品球切れ表示灯L12が点灯する。
  また、賞品球切れ出力は第１端子板40のコネクタI3より外部に出力される。
　遊技盤５に設けた特定の入賞装置に遊技球が入賞すると、制御基板44のコネクタK2,中継基板45のコネクタQ1,Q2を経て第２端子板41のコネクタT2より表示信号を出力し、特定状態表示灯L10A,L10Bを点灯し、遊技中の特定状態を表示し、中継基板41のコネクタT1より外部に特定状態信号を出力する。
  遊技者がドライバー等を使用して不正に金枠４を開放すると、金枠検出スイッチSW5がONとなり、防犯基板42のコネクタN5より入った信号により、防犯基板42に設けたリレーRY3が作動し、リレーRY3の作動によりリレー接点r3が切換わる。
  リレー接点r3の切換により、発射モーターM2はタッチスイッチSW1を作動しても、打球ハンドル15に手を触れて左いっぱいに回し、ハンドルスイッチSW17を初期位置に戻さなければ作動せず、遊技盤５面上に遊技球が打出されず、外レール16の戻りを応用して打球待機樋12の残留球の球受皿14への排出が行なわれる。
  さらに、リレー接点r3が切換わると、AC24Vの出力が防犯基板42のコネクタN2より第１端子板40のコネクタI7に戻り、第１端子板40のコネクタI6を介して異常表示灯L11が点灯する。」（第８頁右上欄第４行−左下欄第１８行）
(3-3)「パチンコ遊技機１の外部のホール側より制御入力を行なう場合には、第１端子板40のコネクタI4に外部より打止め制御入力信号として接点入力を入れることにより、……」（第８頁右下欄第１９行−第９頁左上欄第２行）
(3-4)　第４図の記載からみて、第１端子板４０は枠部の裏側に、第２端子板４１は遊技盤の裏側に設けられているものと認められる。
　
４．本願発明と引用発明との対比検討
（１）本願発明と引用発明との対比
　まず、本願発明と引用発明とを対比する。
　本願発明と引用発明とを対比すると、引用発明の「パチンコ機本体」「集中管理室の管理装置２４０等」「入賞球検出信号、完了検出信号及び特別遊技状態検出信号」「コネクタ１２〜１４（出力端子）」「パチンコ機」「入出力装置１０」は、それぞれ本願発明の「遊技機本体」「遊技店内の管理装置等」「遊技情報」「外部接続端子及び第２の外部接続端子」「パチンコ機」「第２の外部接続端子板」に相当する。
　また、本願の図面又は明細書には、第１の外部接続端子板が遊技盤の裏側でありパチンコ機の裏面側の中央寄りに設けられ、第２の外部接続端子板が遊技盤を収容する枠部でありパチンコ機の裏面の右上隅に設けられているから、引用発明の「パチンコ機の裏面側の中央寄りに、遊技制御基盤２から出力される特別遊技態様検出信号を入出力装置１０へ出力するための中継基盤３を設け、パチンコ機の裏面の右上隅に、前記各信号を外部に出力するための複数のコネクタ１２〜１４を有する入出力装置１０を設け」ることと、本願発明の「遊技盤の裏側に、第１の外部接続端子を複数備えた第１の外部接続端子板を設け、前記遊技盤を収容する枠部に、第２の外部接続端子を複数備えた第２の外部接続端子板を設け」ることとは、「遊技機の裏側中央寄りに、第１の外部接続端子板を設け、遊技機の裏側右上隅に、第２の外部接続端子を複数備えた第２の外部接続端子板を設け」ていることで共通する。
　また、引用発明の「中継基盤３の端子を、複数のコネクタ１２〜１４のうちコネクタ１４と相互に接続」することと、本願発明の「複数の第１の外部接続端子のうち一部を、前記複数の第２の外部接続端子のうち一部と相互に接続」することとは、「第１の外部接続端子を、前記複数の第２の外部接続端子のうち一部と相互に接続」することで共通する。
　また、本願の明細書に、本願発明の「枠部側の遊技情報」として賞品球切れ情報が例示され、引用発明の「完了検出信号」は上タンク２２内の球の有無を検出しているから、引用発明の「完了検出信号」と、本願発明の「枠部側の遊技情報」とは、「賞品球切れ情報」で共通する。
　また、本願の明細書に、本願発明の「遊技盤側の遊技情報」として当たり情報が例示されているから、引用発明の「中継基盤３の端子は入出力装置１０のコネクタ１４を経由してフリッカランプ２１０、警報ランプ２２０及び大当り回数表示装置２３０に接続され、前記入出力装置１０に備えられたコネクタ１２〜１４からは完了検出信号及び特別遊技状態検出信号が出力可能な構成とした」ことと、本願発明の「第１の外部接続端子のうち、第２の外部接続端子と相互に接続された第１の外部接続端子は前記第２の外部接続端子を経由して管理装置等に接続され、第２の外部接続端子板に備えられた複数の第２の外部接続端子からは遊技盤側の遊技情報と枠側の遊技情報とがそれぞれ出力可能な構成とした」こととは、「第２の外部接続端子と相互に接続された第１の外部接続端子は前記第２の外部接続端子を経由してパチンコ機外の装置に接続され、前記第２の外部接続端子板に備えられた複数の第２の外部接続端子からは賞品球切れ情報及び大当たり情報が出力可能な構成とした」ことで共通する。
　そうすると、本願発明と引用発明の両者は「遊技機本体の裏面側に、遊技店内の管理装置等に接続され、遊技情報を出力可能な外部接続端子を備えたパチンコ機において、遊技機の裏側中央寄りに、第１の外部接続端子板を設け、遊技機の裏側右上隅に、第２の外部接続端子を複数備えた第２の外部接続端子板を設け、前記第１の外部接続端子を、前記複数の第２の外部接続端子のうち一部と相互に接続して、前記複数の第２の外部接続端子のうち、前記第１の外部接続端子と相互に接続されていない端子は遊技店内の管理装置等に直接接続されて賞品球切れ情報を出力可能とされ、前記第２の外部接続端子と相互に接続された第１の外部接続端子は前記第２の外部接続端子を経由してパチンコ機外の装置に接続され、前記第２の外部接続端子板に備えられた複数の第２の外部接続端子からは賞品球切れ情報及び大当たり情報がそれぞれ出力可能な構成としたパチンコ機」である点で一致し、
　以下の点で相違しているものと認められる。
・ 相違点１
　第１の外部接続端子板及び第２の外部接続端子板が、本願発明では、遊技盤の裏側と枠部の裏側にそれぞれ設けられ、遊技盤側の遊技情報と枠部側の遊技情報をそれぞれ出力可能とされているのに対し、引用発明では、パチンコ機の裏面側の中央寄りと右上隅にそれぞれ設けられ、大当たり情報と賞品球切れ情報をそれぞれ出力可能としている点。
・ 相違点２
　本願発明は、第１の外部接続端子板に第１の外部接続端子が複数備えられ、複数の第１の外部接続端子のうち、第２の外部接続端子と相互に接続されていない第１の外部接続端子は遊技店内の管理装置等に直接接続されて遊技盤側の遊技情報を出力可能とし、前記第１の外部接続端子のうち、前記第２の外部接続端子と相互に接続された第１の外部接続端子は前記第２の外部接続端子を経由して管理装置等に接続されているのに対し、引用発明は、第１の外部接続端子板に第１の外部接続端子が複数設けられているか否か不明であり、第２の外部接続端子と相互に接続されていない第１の外部接続端子が遊技店内の管理装置等に直接接続されて大当たり情報を出力可能であるか否かも不明であり、第２の外部接続端子と相互に接続された第１の外部接続端子は前記第２の外部接続端子を経由してパチンコ機外のフリッカランプ２１０、警報ランプ２２０及び大当り回数表示装置２３０に接続されている点。
　
（２）当審の判断
i.　相違点１について
　パチンコ機において、その裏面に遊技盤と枠部とを備えることは引用例２，３やその他の文献に記載されているように周知技術であり、引用発明がそのような周知の構成を備えていることは引用発明を認定した引用例１に明記されていなくとも自明な事項にすぎず、さらに、引用例２，３には、パチンコ機の外部へ何らかの情報を出力する２組の出力端子板を、遊技盤の裏側と枠部の裏側とにそれぞれ設けていることが記載されており、当該設置個所はパチンコ機裏面における、それぞれ中央付近と右上隅であると認められる。　
　そうすると、引用発明の中継基盤３及び入出力装置１０は、パチンコ機１の裏面における中央付近及び右上隅にそれぞれ設けられ、その箇所が引用例２，３のパチンコ機裏面の出力端子が設けられている箇所と同様な箇所である以上、引用発明の中継基盤３及び入出力装置１０をそれぞれ遊技盤裏側と枠部裏側とにそれぞれ設けることは、当業者にとって格別困難なことではない。
　また、引用例１には、上記(1-7)に摘記したように、遊技盤のみを交換可能とするため、遊技の制御系と賞球排出系とが電気的に完全に分離されていることが記載され、当たり情報を出力する遊技の制御系の基板については遊技盤に設けられ、賞品球切れ情報を出力する賞球排出系の基板については遊技盤周辺の枠部に設けられていることは、前述したようなパチンコ機の裏面に遊技盤と枠部とを備えることが周知であることを考慮すれば当業者にとって自明である。
　してみると、当たり情報は遊技盤側の遊技情報であり、賞品球切れ情報は枠側の遊技情報であるといえるから、引用発明の第１の外部接続端子（中継基盤３の端子）からは遊技盤側の遊技情報を、第２の外部接続端子（コネクタ１３）からは枠側の遊技情報を出力可能として、相違点１に係る本願発明の構成とすることは当業者が容易に想到し得たものである。
ii. 相違点２について
　端子基板に備えられた端子から出力される信号を別途出力するために、１つの信号線に接続される複数の端子を設けることは引用例３（上記摘記(3-2)及び第５図の第２端子板41に関する記載を参照）等に記載されているように周知技術であり、当該周知技術を考慮すれば、引用発明において、第１の外部接続端子板に第１の外部接続端子を複数備えることは、同じ信号を複数の箇所へ出力する必要性に応じて当業者が適宜なし得た程度の単なる設計的事項というべきである。
　そして、引用例１には、従来行われていた各検出器から出力信号線の配設等の面倒な作業を不要にする目的で、入出力装置の出力端子から一括して管理装置等と接続していることが記載されており、当該記載を考慮すれば、引用発明の第１の外部接続端子が複数備えられていれば、その全ての端子がパチンコ機の外部へ情報を直接出力可能であることは、当業者にとって自明な事項である。
　また、引用発明において、大当たり情報、すなわち、遊技盤側の遊技情報を出力する第２の外部接続端子が接続されている対象は、パチンコ機外のフリッカランプ２１０、警報ランプ２２０及び大当り回数表示装置２３０であり、遊技店内の管理装置等、すなわち、遊技店内の集中管理室のホールコンピュータではないが、当該第２の外部接続端子のパチンコ機外との接続対象をホールコンピュータとすることは、遊技盤側の遊技情報を遊技店内の管理装置（ホールコンピュータ）へ出力することが特開昭６３−２８３６７０号公報（特に第１頁右欄第３−１３行及び第３頁右上欄第１６行−右下欄第４行を参照）等に記載されているように周知技術であるから、ホールコンピュータにより取得するデータの必要性により当業者が適宜なし得る単なる設計的事項にすぎない。
　
　そして、本願発明に係る作用効果は、引用発明、引用例２，３に記載の発明及び周知技術とに基づいて、当業者が予測し得るものであり格別顕著なものではない。
　したがって、本願発明は、引用発明、引用例２，３に記載の発明及び周知技術に基づいて当業者が容易に発明をすることができたものである。
　
５．むすび
　以上のとおり、本願発明は、引用発明、引用例２，３に記載の発明及び周知技術に基づいて当業者が容易に発明をすることができたものと認められるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。